(57)【要約】【課題】  ディスクにタイトル数の制限をなくしてコンテンツデータを数多くシーケンシャル記録させることを課題とする。【解決手段】  所望の数のコンテンツデータにそれぞれ対応するＶＴＳＩを記録するための記録領域をＤＶＤの記録領域３２に確保し、所定のプログラムストリームに基づきＶＯＢＳを生成するビデオオブジェクト生成部１０４と、生成されたＶＯＢＳをディスクの記録領域３３にＶＯＢ単位で記録させるビデオオブジェクト記録部１０５と、ビデオオブジェクト生成部１０４で生成されたＶＯＢＳからビデオオブジェクト情報を検出するビデオオブジェクト情報検出部１１０と、検出されたビデオオブジェクト情報に基づき、ＶＯＢＳに対応したＶＴＳＩを生成する管理情報生成部１１２と、生成されたＶＴＳＩを記録領域３２の空き領域に記録させる管理情報記録部１１３とを具備した。【選択図】      図１
2006228362.tif 000002
【特許請求の範囲】
【請求項１】
所望の数のコンテンツデータをディスクにシーケンシャル記録させるディスク記録装置であって、前記コンテンツデータは、ビデオ・オブジェクト・セットとこのビデオ・オブジェクト・セットを管理するためのビデオタイトル管理情報とを有し、且つ前記ビデオ・オブジェクト・セットは１つ以上のビデオ・オブジェクト・データからなる論理データ構造を有し、外部から入力された少なくとも映像データを含む入力信号を所定のプログラムストリームに変換した後、前記論理データ構造のコンテンツデータに変換して前記ディスクに記録させるディスク記録装置において、
前記所望の数のコンテンツデータにそれぞれ対応するビデオタイトル管理情報を記録するための記録領域を前記ディスクの第１のトラックに確保し、前記プログラムストリームに基づき時間情報とアドレス情報と不連続点情報とからなるビデオオブジェクト情報を含んだビデオ・オブジェクト・セットを生成するビデオオブジェクト生成手段と、
前記生成されたビデオ・オブジェクト・セットを前記ディスクの第２のトラックにビデオ・オブジェクト・データ単位で記録させるビデオオブジェクト記録手段と、
前記ビデオオブジェクト生成手段で生成された前記ビデオ・オブジェクト・セットから前記ビデオオブジェクト情報を検出するビデオオブジェクト情報検出手段と、
前記検出されたビデオオブジェクト情報に基づき、前記ビデオ・オブジェクト・セットに対応したビデオタイトル管理情報を生成する管理情報生成手段と、
前記生成されたビデオタイトル管理情報を前記第１のトラック内の空き領域に記録させる管理情報記録手段とを具備し、
前記入力信号に基づき、前記ビデオオブジェクト生成手段で順次生成されたビデオ・オブジェクト・データを前記第２のトラックに記録させながら、ビデオ・オブジェクト・セット毎に対応するビデオタイトル管理情報を前記第１のトラックに記録させることを特徴とするディスク記録装置。
【請求項２】
所望の数のコンテンツデータをディスクにシーケンシャル記録させるディスク記録方法であって、前記コンテンツデータは、ビデオ・オブジェクト・セットとこのビデオ・オブジェクト・セットを管理するためのビデオタイトル管理情報とを有し、且つ前記ビデオ・オブジェクト・セットは１つ以上のビデオ・オブジェクト・データからなる論理データ構造を有し、外部から入力された少なくとも映像データを含む入力信号を所定のプログラムストリームに変換した後、前記論理データ構造のコンテンツデータに変換して前記ディスクに記録させるディスク記録方法において、
前記所望の数のコンテンツデータにそれぞれ対応するビデオタイトル管理情報を記録するための記録領域を前記ディスクの第１のトラックに確保し、前記プログラムストリームに基づき時間情報とアドレス情報と不連続点情報とからなるビデオオブジェクト情報を含んだビデオ・オブジェクト・セットを生成するビデオオブジェクト生成ステップと、
前記生成されたビデオ・オブジェクト・セットを前記ディスクの第２のトラックにビデオ・オブジェクト・データ単位で記録させるビデオオブジェクト記録ステップと、
前記ビデオオブジェクト生成ステップで生成された前記ビデオ・オブジェクト・セットから前記ビデオオブジェクト情報を検出するビデオオブジェクト情報検出ステップと、
前記検出されたビデオオブジェクト情報に基づき、前記ビデオ・オブジェクト・セットに対応したビデオタイトル管理情報を生成する管理情報生成ステップと、
前記生成されたビデオタイトル管理情報を前記第１のトラック内の空き領域に記録させる管理情報記録ステップとを有し、
前記入力信号に基づき、前記ビデオオブジェクト生成手段で順次生成されたビデオ・オブジェクト・データを前記第２のトラックに記録させながら、ビデオ・オブジェクト・セット毎に対応するビデオタイトル管理情報を前記第１のトラックに記録させることを特徴とするディスク記録方法。
【発明の詳細な説明】
【技術分野】
【０００１】
本発明は、ディスク記録装置及びディスク記録方法に係り、特にＤＶＤ（Ｄｉｇｉｔａｌ  Ｖｅｒｓａｔｉｌｅ  Ｄｉｓｃ）に代表されるディスクに、タイトル数の制限を気にすることなくリアルタイム情報をシーケンシャル記録させることを可能とするディスク記録装置及びディスク記録方法に関する。
【背景技術】
【０００２】
デジタル情報化社会の本格的到来により、映像や音声等のデータもデジタルデータとして扱うのが一般的になってきた。これに伴って、データ記録に用いられる記録媒体は、従来主流であったテープからランダムアクセスが可能なディスクへと変わってきている。特に、保存性及び可搬性に共に優れた光ディスクは、テープに替わるデジタルデータ記録媒体として重要な位置を占めるものである。
【０００３】
さらに光ディスクの中では、高画質映像の記録や長時間映像の記録といった大容量データの記録が可能なＤＶＤが使われ始め、近年では、映像・音声データの記録再生に関するＤＶＤ規格であるＤＶＤビデオ規格が規格化されたことにもより、この規格に対応したＤＶＤ記録装置やＤＶＤ再生装置等が広く普及している。また、それと同時に、ＤＶＤには何度もデータの書き換えが可能な再書き込み可能型ＤＶＤやＤＶＤ等、様々な規格のディスクが生まれている。
【０００４】
ここで、ＤＶＤビデオ規格に基づくＤＶＤ上の映像・音声データ領域の論理データ構造の例を図５に示して説明する。同図に示したとおり、ＤＶＤビデオ規格に基づく映像・音声データ領域には映像・音声データの再生に必要な全てのデータが格納されており、その論理データ構造は階層構造となっている。
【０００５】
まず、第１層はＶＭＧ（Ｖｉｄｅｏ  Ｍａｎａｇｅｒ）５１とタイトル数分のＶＴＳ（Ｖｉｄｅｏ  Ｔｉｔｌｅ  Ｓｅｔ）５２−１〜５２−ｊとから構成される。ＶＭＧ５１は映像・音声データ領域全体についての管理情報が格納されるパケットであり、更にいくつかのデータ構造に分割されるがここでは説明を省略する。
【０００６】
ＶＴＳ５２は、ＶＴＳＩ（Ｖｉｄｅｏ  Ｔｉｔｌｅ  Ｓｅｔ  Ｉｎｆｏｒｍａｔｉｏｎ）５３とＶＯＢＳ（Ｖｉｄｅｏ  Ｏｂｊｅｃｔ  Ｓｅｔ）５４とＶＴＳＩ（ＢＵＰ）５５とから構成される。ＶＴＳＩ５３には、対応するＶＴＳ５２に関する管理情報が格納され、ＶＴＳＩ（ＢＵＰ）５５にはＶＴＳＩ５３のバックアップデータが格納される。そして、ＶＯＢＳ５４には映像・音声データやメニューコンテンツが格納されるが、このメニューコンテンツの格納は必須ではなく、同図においては映像・音声データのみを格納したＶＯＢ（Ｖｉｄｅｏ  Ｏｂｊｅｃｔ）５６−１〜５６−ｋを構成している。
【０００７】
そしてＶＯＢ５６は、再生時に使用されるサーチ情報等が格納されたＮａｖｉｇａｔｉｏｎ５７と符号化された映像データが格納されたＶｉｄｅｏ５８と符号化された音声データが格納されたＡｕｄｉｏ５９とから構成された集合体が１つのＶＯＢＵ（Ｖｉｄｅｏ  Ｏｂｊｅｃｔ  Ｕｎｉｔ）として複数構成されている。
【０００８】
なお、これらＤＶＤビデオ規格に基づく論理データ構造の詳細説明は、例えば後述する特許文献１にも記載されているが、上記説明におけるＮａｖｉｇａｔｉｏｎ５７に格納されるサーチ情報等とは、該当するＶＯＢＵのサーチ情報（ＶＯＢＵ＿ＳＲＩ）と該当するＶＯＢ５６の最終時間情報（ＳＭＬ＿ＰＢＩ内のＶＯＢ＿Ｖ＿Ｅ＿ＰＴＭ）とを指すものである。
【０００９】
上述したような論理データ構造を有するＤＶＤに映像・音声データを記録する際の記録順序は概略次のとおりである。つまり、ＶＭＧ５１の記録領域が確保された後、１つ目のＶＴＳ５２についてＶＴＳＩ５３の記録領域が確保された後にＶＯＢＳ５４が先に記録され、このＶＯＢＳ５４の記録が完了した後に、先に領域確保されたＶＴＳＩ５３への記録とＶＴＳＩ（ＢＵＰ）５５の追加記録とが行われるという順序になる。２つ目以降のＶＴＳ５２についても同様であり、記録すべき全てのＶＴＳ５２が記録された後に、映像・音声データ領域全体の管理情報がＶＭＧ５１に記録されるという順序になっている。
【００１０】
さらに、ＶＯＢ５６については、ＶＯＢ＃１＠ＶＯＢＳ＃２  ５６−１を例に説明すると、このＶＯＢを構成する全てのＶｉｄｅｏ５８とＡｕｄｉｏ５９とに格納される映像・音声データが先に準備された後、この準備された映像・音声データに対応するサーチ情報等を含むＮａｖｉｇａｔｉｏｎ５７が生成され、ＶＯＢのデータ構造に構成されたものがＤＶＤのＶＯＢ＃１＠ＶＯＢＳ＃２  ５６−１に記録されるという順序になる。
【００１１】
すなわち、ＤＶＤビデオ規格によれば、ＤＶＤへのＶＯＢの記録はＶＯＢに記録すべき映像・音声データを準備した後でなければＮａｖｉｇａｔｉｏｎを生成することができないため、メモリやハードディスクといった記憶手段に一旦ＶＯＢのイメージを作成してからＤＶＤのＶＯＢに記録するという２パス記録が行われることが通常である。
【００１２】
ここで、例えば特許文献１に開示された発明のように、ＤＶＤの記録領域の先頭部分に所定容量分の記録領域を確保しておき、次にこの記録領域に続けて映像・音声データ等のリアルタイム情報を記録し、その後前記記録領域にリアルタイム情報に関連する制御情報を記録するように構成した「リアルタイム情報を記録するためのＤＶＤ記録装置」が知られている。このＤＶＤ記録装置は、リアルタイム情報の記録を１パスで行うことができるという特徴を有するものである。
【特許文献１】特表２００２−５３０８００号公報
【発明の開示】
【発明が解決しようとする課題】
【００１３】
しかしながら、特許文献１に開示された発明は、具体的な例を示してその記録手順を説明すると、複数のＶＴＳが記録される場合、まずＤＶＤの記録先頭領域部分にＶＭＧの記録領域とＶＴＳＩ＃１の記録領域とをそれぞれ確保した後、これらの記録領域に続けてＶＯＢＳ＃１を記録し、次にＶＴＳＩ＃１の記録領域にＶＴＳＩ＃１を記録すると共にＶＯＢＳ＃１の後にＶＴＳＩ（ＢＵＰ）＃１を追記録する。そして、２つめのＶＴＳ＃２についても、ＶＴＳＩ＃２の記録領域を確保してＶＯＢＳ＃２を記録するといったＶＴＳ＃１と同様な処理を行い、これら記録処理を全てのＶＴＳに対して行った後にＶＭＧを先に確保しておいたＶＭＧの記録領域に記録するという手順によるものである。
【００１４】
これにおいて、このＤＶＤ記録装置では、ＤＶＤに複数のＶＴＳをシーケンシャル記録させる場合、上述したようにＶＴＳＩの空き領域の確保を繰り返すため多くのトラック（ＲＺｏｎｅと称す場合もある。）が必要となる。具体的には、同文献に記載された発明においては、ｎ個のＶＴＳをＤＶＤへシーケンシャル記録させる場合、最低２ｎ＋１個のトラックが必要となる。
【００１５】
しかしながら、記録させたいＶＴＳの数より決まる必要トラック数がＤＶＤの有する最大トラック数を超えてしまう場合、越えた分はデータを記録することができないという弊害があり、多数のコンテンツをＤＶＤに記録させる用途においては極めて大きな問題となる。
【００１６】
そこで、本発明は上述したような従来のＤＶＤ記録装置及び記録方法が有する問題に鑑みてなされたものであり、ＶＴＳの数を制限することなくＤＶＤに代表される追記型のディスクに多数のコンテンツデータをシーケンシャル記録させることが可能なディスク記録装置及びディスク記録方法を提供することを目的とする。
【課題を解決するための手段】
【００１７】
上記の課題を解決するために本発明は、所望の数のコンテンツデータ（ＶＴＳ）をディスク（１１４）にシーケンシャル記録させるディスク記録装置であって、前記コンテンツデータは、ビデオ・オブジェクト・セット（ＶＯＢＳ）とこのビデオ・オブジェクト・セットを管理するためのビデオタイトル管理情報（ＶＴＳＩ）とを有し、且つ前記ビデオ・オブジェクト・セットは１つ以上のビデオ・オブジェクト・データ（ＶＯＢ）からなる論理データ構造を有し、外部から入力された少なくとも映像データを含む入力信号を所定のプログラムストリームに変換した後、前記論理データ構造のコンテンツデータに変換して前記ディスクに記録させるディスク記録装置において、前記所望の数のコンテンツデータにそれぞれ対応するビデオタイトル管理情報を記録するための記録領域を前記ディスクの第１のトラック（３２）に確保し、前記プログラムストリームに基づき時間情報とアドレス情報と不連続点情報とからなるビデオオブジェクト情報を含んだビデオ・オブジェクト・セットを生成するビデオオブジェクト生成手段（１０４）と、前記生成されたビデオ・オブジェクト・セットを前記ディスクの第２のトラック（３３）にビデオ・オブジェクト・データ単位で記録させるビデオオブジェクト記録手段（１０５）と、前記ビデオオブジェクト生成手段で生成された前記ビデオ・オブジェクト・セットから前記ビデオオブジェクト情報を検出するビデオオブジェクト情報検出手段（１１０）と、前記検出されたビデオオブジェクト情報に基づき、前記ビデオ・オブジェクト・セットに対応したビデオタイトル管理情報を生成する管理情報生成手段（１１１，１１２）と、前記生成されたビデオタイトル管理情報を前記第１のトラック内の空き領域に記録させる管理情報記録手段（１１３）とを具備し、前記入力信号に基づき、前記ビデオオブジェクト生成手段で順次生成されたビデオ・オブジェクト・データを前記第２のトラックに記録させながら、ビデオ・オブジェクト・セット毎に対応するビデオタイトル管理情報を前記第１のトラックに記録させることを特徴とするディスク記録装置を提供する。
【００１８】
また、所望の数のコンテンツデータ（ＶＴＳ）をディスク（１１４）にシーケンシャル記録させるディスク記録方法であって、前記コンテンツデータは、ビデオ・オブジェクト・セット（ＶＯＢＳ）とこのビデオ・オブジェクト・セットを管理するためのビデオタイトル管理情報（ＶＴＳＩ）とを有し、且つ前記ビデオ・オブジェクト・セットは１つ以上のビデオ・オブジェクト・データ（ＶＯＢ）からなる論理データ構造を有し、外部から入力された少なくとも映像データを含む入力信号を所定のプログラムストリームに変換した後、前記論理データ構造のコンテンツデータに変換して前記ディスクに記録させるディスク記録方法において、前記所望の数のコンテンツデータにそれぞれ対応するビデオタイトル管理情報を記録するための記録領域を前記ディスクの第１のトラック（３２）に確保し、前記プログラムストリームに基づき時間情報とアドレス情報と不連続点情報とからなるビデオオブジェクト情報を含んだビデオ・オブジェクト・セットを生成するビデオオブジェクト生成ステップ（Ｓ４０１〜Ｓ４０６）と、前記生成されたビデオ・オブジェクト・セットを前記ディスクの第２のトラック（３３）にビデオ・オブジェクト・データ単位で記録させるビデオオブジェクト記録ステップ（Ｓ４０７）と、前記ビデオオブジェクト生成ステップで生成された前記ビデオ・オブジェクト・セットから前記ビデオオブジェクト情報を検出するビデオオブジェクト情報検出ステップ（Ｓ４０８）と、前記検出されたビデオオブジェクト情報に基づき、前記ビデオ・オブジェクト・セットに対応したビデオタイトル管理情報を生成する管理情報生成ステップ（Ｓ４１０）と、前記生成されたビデオタイトル管理情報を前記第１のトラック内の空き領域に記録させる管理情報記録ステップ（Ｓ４１１）とを有し、前記入力信号に基づき、前記ビデオオブジェクト生成手段で順次生成されたビデオ・オブジェクト・データを前記第２のトラックに記録させながら、ビデオ・オブジェクト・セット毎に対応するビデオタイトル管理情報を前記第１のトラックに記録させることを特徴とするディスク記録方法を提供する。
【発明の効果】
【００１９】
本発明に係るディスク記録装置及びディスク記録方法によれば、ディスクにリアルタイム情報をシーケンシャル記録させる場合において、例えばＤＶＤビデオ規格に基づく従来フォーマットで制限されていたＶＴＳの数を超えて、より多くのＶＴＳを記録させることが可能となる。
【発明を実施するための最良の形態】
【００２０】
以下、本発明に係るディスク記録装置及びディスク記録方法を実施するための最良の形態について図面を参照しながら詳細に説明する。
【００２１】
図１は、本実施形態において適用されるＤＶＤに映像・音声データ等のコンテンツデータをシーケンシャル記録するディスク記録装置の概略機能ブロックを示した図である。同図において、ディスク記録装置１は、入力端子部１０１、入力処理部１０２、エンコーダ部１０３、ビデオオブジェクト生成部１０４、ビデオオブジェクト記録部１０５、ビデオオブジェクト情報検出部１１０、ビデオオブジェクト情報記憶部１１１、管理情報生成部１１２、管理情報記録部１１３、及びＤＶＤドライブ部１１５を備えている。また、ＤＶＤドライブ部１１５にはＤＶＤ１１４が搭載される。
【００２２】
このディスク記録装置１において、不図示の外部装置から入力端子部１０１を介して入力される入力信号は、映像信号及び音声信号又はいずれか一方であり、入力処理部１０２に供給される。入力処理部１０２は、供給された入力信号をフォーマット変換してエンコーダ部１０３に供給する機能を有する。例えば、入力信号がアナログコンポジット信号及びアナログステレオ音声信号であった場合、入力処理部１０２はアナログコンポジット信号をデジタル色差データに変換し、そしてアナログステレオ音声信号をデジタル音声信号に変換する。
【００２３】
エンコーダ部１０３は、入力処理部１０２から供給されたフォーマット変換処理後のデータを符号化処理してストリームを出力する機能を有する。例えば、エンコーダ部１０３は、入力処理部１０２からデジタル色差データ及びデジタル音声データがそれぞれ供給された場合、デジタル色差データをＭＰＥＧ２方式によって符号化し、そしてデジタル音声データをＤｏｌｂｙ（登録商標）ＡＣ−３方式で符号化し、これら符号化データをプログラムストリームにエンコードして出力する。
【００２４】
ビデオオブジェクト生成部１０４は、エンコーダ部１０３から供給されたプログラムストリームについてＶＯＢＳを生成し、ＶＯＢ単位でビデオオブジェクト記録部１０５に出力する機能を有する。そしてビデオオブジェクト記録部１０５は、ビデオオブジェクト生成部１０４から供給されたＶＯＢをＤＶＤドライブ部１１５に搭載されたＤＶＤ１１４に順次シーケンシャル記録させるための機能を有する。
【００２５】
ビデオオブジェクト情報検出部１１０は、ビデオオブジェクト生成部１０４で生成されたＶＯＢＳから時間情報とアドレス情報と不連続点情報とで構成されるビデオオブジェクト情報を抽出する機能を有する。そして、ビデオオブジェクト情報記憶部１１１は、ビデオオブジェクト情報検出部１１０から供給されたビデオオブジェクト情報を一時記憶する機能を有する。また、管理情報生成部１１２は、ビデオオブジェクト情報記憶部１１１に記憶されたビデオオブジェクト情報に基づき、ＶＴＳＩとＶＴＳＩ（ＢＵＰ）とを生成する機能を有する。さらに、管理情報記録部１１３は、管理情報生成部１１２から供給されたＶＴＳＩとＶＴＳＩ（ＢＵＰ）とをＤＶＤ１１４の所定の場所に記録させる機能を有するものである。
【００２６】
上記説明したディスク記録装置１の各機能は、ＤＶＤビデオ規格に準拠したＤＶＤ記録装置やＤＶＤ記録再生装置、又はＤＶＤドライブユニットを接続して制御可能なパーソナルコンピュータに搭載されたＣＰＵ等の制御手段やメモリ等の記憶手段を用いることによって実現することが可能である。
【００２７】
次に、以上説明した構成のディスク記録装置１によってＤＶＤ１１４にｎ個のＶＴＳがシーケンシャル記録されたときのディスクのデータ構造を、各パケットデータがＤＶＤ１１４に記録される順番に並べた図として図２（ａ）に示す。また、ＤＶＤビデオ規格による従来例と比較するために、従来のＤＶＤ記録装置によってＤＶＤにｎ個のＶＴＳがシーケンシャル記録された場合のデータ構造を同図（ｂ）に示す。なお、同図は図５の論理データ構成図における上位第２層までを示しており第３層以下は省略している。
【００２８】
図２（ａ）及び（ｂ）の大きな相違として、本実施形態に係るデータ構造では、同図（ａ）の如くＶＭＧの記録領域に続けてｎ個分のＶＴＳＩの記録領域が連続して設けられて他のパケットデータから独立していることである。これによって、ｎ個のＶＴＳを記録する際に使用されるトラック数に大きな差が生ずる。すなわち、本実施形態に係るデータ構造では、同図（ａ）に示したようにｎ個分のＶＴＳＩを１つのトラック（＃２）内に記録させるためディスク全体で３個のトラックしか使用しないが、従来例においては、同図（ｂ）に示したようにディスク全体で２ｎ＋１個ものトラックを使用することとなる。
【００２９】
次に、ディスク記録装置１がＤＶＤ１１４にｎ個のＶＴＳをシーケンシャル記録する記録手順の例を図３の記録シーケンス図を用いて説明する。同図によれば、ディスク記録装置１は最初にＶＭＧの記録領域３１を確保すると共に、ｎ個分のＶＴＳそれぞれに対応したｎ個のＶＴＳＩの記録領域３２を一括して確保し、記録領域３２に続く次の記録領域３３の最初のポイントにＶＯＢＳ＃１の記録開始点を設定する（ステップＳ３０１）。
【００３０】
次に、ＶＴＳ＃１に係るＶＯＢＳ＃１を記録開始点から記録して記録開始点を更新する（ステップＳ３０２）。そして、ＶＯＢＳ＃１に対応するＶＴＳＩ＃１を先に領域確保した記録領域３２に記録させると共に、ＶＴＳＩ＃１のバックアップデータであるＶＴＳＩ（ＢＵＰ）＃１を先に更新した記録開始点から記録して記録開始点を更新する（ステップＳ３０３）。
【００３１】
以下、同様にしてＶＴＳ＃２〜ＶＴＳ＃ｎを順次シーケンシャル記録させる（ステップＳ３０４）。そして、最後にＶＭＧを記録領域３１に記録させて終了する（ステップＳ３０５）。
【００３２】
なお、ＤＶＤ１１４に記録させるＶＴＳの数が予め決定していない場合は、予想されるＶＴＳの数よりも多数のＶＴＳＩが記録可能なように記録領域３２を確保しておくのが望ましい。この場合、実際に記録されたＶＴＳの数によっては記録領域３２とＶＯＢＳ＃１との間に空き領域が発生することもあるが、空き領域が発生すること自体及び空き領域の容量が後のディスク再生において問題となることはない。
【００３３】
次に、ディスク記録装置１の動作例を図４に示したフローチャートを用いて説明する。同図のフローチャートは、ｎ個のＶＴＳをＤＶＤ１１４に記録させる処理動作のフローについて示したものである。また、本実施形態においては、入力端子１０１を介して入力される入力信号はアナログコンポジット信号及びアナログステレオ音声信号である。
【００３４】
ＤＶＤ１１４をＤＶＤドライブ部１１５に搭載してディスク記録装置１を記録可能な状態にさせると、まず初期化処理としてＶＭＧの記録領域を確保し（ステップＳ４０１）、次いでｎ個分のＶＴＳＩの記録領域を確保した後（ステップＳ４０２）、この確保したＶＴＳＩの記録領域の後に最初のＶＯＢ＃１の記録開始点を定めてから記録待ちとなる（ステップＳ４０３）。
【００３５】
入力端子１０１から入力信号が入力されると、入力処理部１０２は入力信号をエンコーダ部１０３の入力に適したフォーマットに変換してエンコーダ部１０３に供給する（ステップＳ４０４）。エンコーダ部１０３は、供給されたフォーマット変換後の入力信号を映像信号についてはＭＰＥＧ２方式によって符号化し、そして音声信号についてはＬｉｎｅａｒ  ＰＣＭ方式、Ｄｏｌｂｙ  ＡＣ−３方式、ＭＰＥＧ  Ａｕｄｉｏ方式等で符号化し、これら符号化されたデータをプログラムストリームに形成して出力する（ステップＳ４０５）。
【００３６】
ビデオオブジェクト生成部１０４は、プログラムストリームの供給を受けるとＶＯＢを生成し（ステップＳ４０６）、そしてビデオオブジェクト記録部１０５は、生成されたＶＯＢをＤＶＤ１１４の記録開始点から記録して記録開始点を更新する（ステップＳ４０７）。なお、ビデオオブジェクト生成部１０４には、少なくとも１ＶＯＢＳ分のビデオオブジェクト情報が一時記憶される。
【００３７】
ビデオオブジェクト情報検出部１１０は、ビデオオブジェクト生成部１０４で生成されたＶＯＢＳから前述したビデオオブジェクト情報を抽出してビデオオブジェクト情報記憶部１１１に記憶させる（ステップＳ４０８）。
【００３８】
そして、入力信号が停止して全てのＶＯＢがＤＶＤ１１４にシーケンシャル記録されると（ステップＳ４０９  Ｙｅｓ）、管理情報生成部１１２は、ビデオオブジェクト情報記憶部１１１に記憶されたビデオオブジェクト情報を読み出してビデオオブジェクト記録部１０５が記録したＶＯＢＳに対応するＶＴＳＩとＶＴＳＩ（ＢＵＰ）とをそれぞれ生成し（ステップＳ４１０）、管理情報記録部１１３は、生成されたＶＴＳＩをステップＳ４０２で予め確保された記録領域に記録させ、そしてＶＴＳＩ（ＢＵＰ）を最後に記録されたＶＯＢに続けて記録させて記録開始点を更新する（ステップＳ４１１）。ステップＳ４０９にて入力信号が停止していない場合は、ステップＳ４０４に戻る（ステップＳ４０９  Ｎｏ）。
【００３９】
そして、ｎ個全てのＶＴＳを記録完了させるまで、ステップＳ４０３〜ステップＳ４１１を繰り返し実行し（ステップＳ４１２  Ｎｏ）、ｎ個全てのＶＴＳを記録完了させると（ステップＳ４１２  Ｙｅｓ）、管理情報記録部１１３は、ＤＶＤ１１４全体の管理情報であるＶＭＧをステップＳ４０１で予め確保された記録領域に記録させて終了する。なお、ステップＳ４０３〜ステップＳ４１１のループ処理において、ステップＳ４１１では、ステップＳ４０２で確保しておいたｎ個のＶＴＳＩの記録領域における最後に記録されたＶＴＳＩに続けて記録させるように処理する。
【００４０】
以上詳述したように、本実施形態によれば、映像・音声データ等のリアルタイム情報をＤＶＤにシーケンシャル記録させる場合において、例えばＤＶＤビデオ規格に基づく従来フォーマットで制限されていたＶＴＳの数を超えて、より多くのＶＴＳを記録させることが可能である。
【００４１】
例えば、ＤＶＤの一種であるＤＶＤ＋Ｒにおいては、規格上１セッションあたりトラック数を最大１６個しかとることができないため、従来フォーマットによれば７タイトル分のＶＴＳしか記録することができない。一方、本実施形態のディスク記録装置１によれば、図２（ａ）に示したような３個のトラック構成で８タイトル以上のＶＴＳをＤＶＤ＋Ｒに記録させることが可能となる。
【００４２】
また、本実施形態は、従来のＤＶＤ記録装置やＤＶＤ記録再生装置が有する制御手段や、この制御手段に接続される記憶手段等を利用してソフトウェアとして機能実現を図ることが可能であり、従来のハードウェア資源を十分生かすことを容易にするものである。
【００４３】
なお、本実施形態では、ステップＳ４１１においてＶＴＳＩとＶＴＳＩ（ＢＵＰ）との両方を記録させる例を示したが、ステップＳ４１１ではＶＴＳＩ（ＢＵＰ）のみを記録させるようにし、ｎ個のＶＴＳを記録した後のステップＳ４１３でＶＭＧとＶＴＳＩ＃１〜ＶＴＳＩ＃ｎとの両方を記録させるようにしてもよい。この場合、ステップＳ４０１において、ＶＭＧとｎ個分のＶＴＳＩの記録領域を確保するようにし、且つステップＳ４０２の処理を止めるようにすればよい。
【００４４】
また、本実施形態では、データ記録する媒体をＤＶＤとして説明したが、本発明はこれに限らず、追記型のディスクに広く適用できるものである。
【産業上の利用可能性】
【００４５】
以上によれば、本発明に係るディスク記録装置及びディスク記録方法は、ＤＶＤにリアルタイム情報を多数記録させる用途において、例えばＤＶＤビデオ規格に基づく従来フォーマットでは収まりきらない数の情報を追記させるような用途において有用である。
【図面の簡単な説明】
【００４６】
【図１】本発明の実施形態における、ＤＶＤにコンテンツデータを記録させるディスク記録装置の概略機能ブロックを示した図である。
【図２】ｎ個のＶＴＳが記録されたＤＶＤのデータ構造の例である。
【図３】ｎ個のＶＴＳをＤＶＤに記録させる記録手順の例を示したシーケンス図である。
【図４】本発明の実施形態における、ディスク記録装置の処理の流れを示したフローチャートの例である。
【図５】ＤＶＤ上の映像・音声データ領域の論理データ構造の例を示した図である。
【符号の説明】
【００４７】
１  ディスク記録装置
１０１  入力端子部
１０２  入力処理部
１０３  エンコーダ部
１０４  ビデオオブジェクト生成部
１０５  ビデオオブジェクト記録部
１１０  ビデオオブジェクト情報検出部
１１１  ビデオオブジェクト情報記憶部
１１２  管理情報生成部
１１３  管理情報記録部
１１４  ＤＶＤ
１１５  ＤＶＤドライブ部
【図１】
2006228362.tif 000003
【図２】
2006228362.tif 000004
【図３】
2006228362.tif 000005
【図４】
2006228362.tif 000006
【図５】
2006228362.tif 000007